(57)【要約】【課題】  相手先名を確実に表示することができ、利便性を向上させることができる「ナビゲーション装置」を提供すること。【解決手段】  ナビゲーション装置本体３と、このナビゲーション装置本体３に接続された電話装置２とを備えたナビゲーション装置１であって、前記電話装置２に着信した電話番号に対応する相手先名を、前記電話番号およびこれに対応する前記相手先名が少なくとも記憶されたナビゲーションデータベース７から検索する検索手段５と、この検索手段５によって検索された前記相手先名を表示する表示手段１２とを備えたこと。【選択図】      図１
2006329649.tif 000002
【特許請求の範囲】
【請求項１】
ナビゲーション装置本体と、このナビゲーション装置本体に接続された電話装置とを備えたナビゲーション装置であって、
前記電話装置に着信した電話番号に対応する相手先名を、ナビゲーションデータベースから検索する検索手段と、
この検索手段によって検索された前記相手先名を表示する表示手段と
を備えたことを特徴とするナビゲーション装置。
【請求項２】
前記ナビゲーション装置本体に記憶されたユーザ電話帳を備え、
前記検索手段は、まず、前記電話装置に着信した電話番号に対応する相手先名を、前記ユーザ電話帳から検索し、次に、前記ユーザ電話帳から当該相手先名を検索することができない場合に、当該相手先名を前記ナビゲーションデータベースから検索すること
を特徴とする請求項１に記載のナビゲーション装置。
【請求項３】
前記電話番号の着信を契機として、当該電話番号に対応する相手先についての地図表示を行うことが可能とされていることを特徴とする請求項１または請求項２に記載のナビゲーション装置。
【請求項４】
前記電話番号の着信を契機として、当該電話番号に対応する相手先を、ナビゲーションの目的地に設定することが可能とされていることを特徴とする請求項１乃至請求項３のいずれか１項に記載のナビゲーション装置。
【請求項５】
前記電話装置に着信した電話番号およびこれに対応する相手先名が、前記電話装置の電話帳に登録されていない場合に、これらの電話番号および相手先名を、前記電話装置の電話帳に登録する登録手段を備えたこと
を特徴とする請求項２乃至請求項４のいずれか１項に記載のナビゲーション装置。
【請求項６】
前記電話装置に着信した電話番号およびこれに対応する相手先名が、前記ユーザ電話帳に登録されていない場合に、これらの電話番号および相手先名を、前記ユーザ電話帳に登録する登録手段を備えたこと
を特徴とする請求項２乃至請求項５のいずれか１項に記載のナビゲーション装置。
【請求項７】
前記電話装置が、前記ナビゲーション装置本体に着脱可能に接続される携帯電話であることを特徴とする請求項１乃至請求項６のいずれか１項に記載のナビゲーション装置。
【発明の詳細な説明】
【技術分野】
【０００１】
本発明は、ナビゲーション装置に係り、特に、電話装置を用いた通話を行うのに好適なナビゲーション装置に関する。
【背景技術】
【０００２】
近年、自動車内で運転者が運転中に携帯電話を使用する場合には、運転の安全性を確保すべく、運転中でも両手が自由に使えるＨＦＴ（ハンズフリーテレフォン）を使用することが義務づけられるようになった。
【０００３】
また、現状におけるナビゲーション装置は、このようなＨＦＴに着信した電話番号に対応する相手先の施設名または個人名（以下、相手先名と称する）を、ナビゲーション装置に記憶されたユーザ電話帳から検索して取得し、取得された相手先名をナビゲーション装置の表示部に表示するようになっている。
【０００４】
なお、ユーザ電話帳は、ナビゲーション装置において独自に作成されたものである場合や、携帯電話から読み込まれたものである場合がある。
【０００５】
【特許文献１】特開平１１−８８５２５号公報
【発明の開示】
【発明が解決しようとする課題】
【０００６】
しかしながら、現状のナビゲーション装置では、予めユーザ電話帳に登録されている相手先名だけしか表示することができないので、利便性に欠けるといった問題が生じていた。
【０００７】
具体的には、図６に示すように、ユーザ電話帳に登録されていない電話番号の着信があった場合には、電話番号５６がそのまま画面５７に表示されるだけで、相手先を特定することができなかった。
【０００８】
そこで、本発明は、このような問題に鑑みなされたものであり、相手先名を確実に表示することができ、利便性を向上させることができるナビゲーション装置を提供することを目的とするものである。
【課題を解決するための手段】
【０００９】
前述した目的を達成するため、本発明に係るナビゲーション装置は、電話装置に着信した電話番号に対応する相手先名を、ナビゲーションデータベースから検索する検索手段と、この検索手段によって検索された前記相手先名を表示する表示手段とを備えたことを特徴としている。
【００１０】
そして、このような構成によれば、検索手段によって、電話装置に着信した電話番号に対応する相手先名を、豊富なデータを有するナビゲーションデータベースから確実に検索することが可能となり、検索された相手先名を表示手段によって表示することが可能となる。
【００１１】
また、本発明に係るナビゲーション装置は、ナビゲーション装置本体に記憶されたユーザ電話帳を備え、検索手段が、まず、前記電話装置に着信した電話番号に対応する相手先名を、前記ユーザ電話帳から検索し、次に、前記ユーザ電話帳から当該相手先名を検索することができない場合に、当該相手先名を前記ナビゲーションデータベースから検索することを特徴としている。
【００１２】
そして、このような構成によれば、検索手段が、電話装置に着信した電話番号に対応する相手先名を、ユーザ電話帳から優先的に検索することが可能となる。
【００１３】
さらに、本発明に係るナビゲーション装置は、電話番号の着信を契機として、当該電話番号に対応する相手先についての地図表示を行うことが可能とされていることを特徴としている。
【００１４】
そして、このような構成によれば、電話番号の着信を契機として、当該電話番号に対応する相手先についての地図表示を行うことが可能となる。
【００１５】
さらにまた、本発明に係るナビゲーション装置は、電話番号の着信を契機として、当該電話番号に対応する相手先を、ナビゲーションの目的地に設定することが可能とされていることを特徴としている。
【００１６】
そして、このような構成によれば、電話番号の着信を契機として、当該電話番号に対応する相手先を、ナビゲーションの目的地に設定することが可能となる。
【００１７】
また、本発明に係るナビゲーション装置は、電話装置に着信した電話番号およびこれに対応する相手先名が、前記電話装置の電話帳に登録されていない場合に、これらの電話番号および相手先名を、前記電話装置の電話帳に登録する電話装置電話帳登録手段を備えたことを特徴としている。
【００１８】
そして、このような構成によれば、登録手段によって、電話装置の電話帳に、電話装置に着信した電話番号およびこれに対応する相手先名を登録することが可能となる。
【００１９】
さらに、本発明に係るナビゲーション装置は、電話装置に着信した電話番号およびこれに対応する相手先名が、ユーザ電話帳に登録されていない場合に、これらの電話番号および相手先名を、ユーザ電話帳に登録する登録手段を備えたことを特徴としている。
【００２０】
そして、このような構成によれば、登録手段によって、ユーザ電話帳に、電話装置に着信した電話番号およびこれに対応する相手先名を登録することが可能となる。
【００２１】
さらにまた、本発明に係るナビゲーション装置は、電話装置が、ナビゲーション装置本体に着脱可能に接続される携帯電話であることを特徴としている。
【００２２】
そして、このような構成によれば、検索手段によって、携帯電話に着信した電話番号に対応する相手先名を、豊富なデータを有するナビゲーションデータベースから確実に検索することが可能となり、検索された相手先名を表示手段によって表示することが可能となる。
【発明の効果】
【００２３】
本発明に係るナビゲーション装置によれば、検索手段によって、電話装置に着信した電話番号に対応する相手先名を、豊富なデータを有するナビゲーションデータベースから確実に検索することができ、検索された相手先名を表示手段によって表示することができる結果、相手先名を確実に表示することができ、利便性を向上させることができる。
【００２４】
また、本発明に係るナビゲーション装置によれば、検索手段が、電話装置に着信した電話番号に対応する相手先名を、ユーザ電話帳から優先的に検索することができる結果、電話装置に着信した電話番号に対応する相手先名をさらに効率的に検索してすみやかに表示することができる。
【００２５】
さらに、本発明に係るナビゲーション装置によれば、電話番号の着信を契機として、当該電話番号に対応する相手先についての地図表示を行うことができる結果、利便性をさらに向上させることができる。
【００２６】
さらにまた、本発明に係るナビゲーション装置によれば、電話番号の着信を契機として、当該電話番号に対応する相手先を、ナビゲーションの目的地に設定することができる結果、利便性をさらに向上させることができる。
【００２７】
また、本発明に係るナビゲーション装置によれば、登録手段によって、電話装置の電話帳に、電話装置に着信した電話番号およびこれに対応する相手先名を登録することができる結果、ユーザが、電話装置の電話帳に電話番号および相手先名を手入力する手間を省くことができ、利便性をさらに向上させることができる。
【００２８】
さらに、本発明に係るナビゲーション装置によれば、登録手段によって、ユーザ電話帳に、電話装置に着信した電話番号およびこれに対応する相手先名を登録することができる結果、ユーザが、ユーザ電話帳に電話番号および相手先名を手入力する手間を省くことができ、利便性をさらに向上させることができる。
【００２９】
さらにまた、本発明に係るナビゲーション装置によれば、検索手段によって、携帯電話に着信した電話番号に対応する相手先名を、豊富なデータを有するナビゲーションデータベースから確実に検索することができ、検索された相手先名を表示手段によって表示することができる結果、携帯電話が接続されたナビゲーション装置においても、相手先名を確実に表示することができ、利便性を向上させることができる。
【発明を実施するための最良の形態】
【００３０】
以下、本発明に係るナビゲーション装置の実施形態について、図１乃至図５を参照して説明する。
【００３１】
図１に示すように、本実施形態におけるナビゲーション装置１は、電話装置としての携帯電話２と、この携帯電話２が接続されたナビゲーション装置本体３とによって構成されている。
【００３２】
ナビゲーション装置本体３について詳述すると、このナビゲーション装置本体３は、検索部５を有しており、この検索部５には、携帯電話２に着信した相手先（発信元）の電話番号（以下、着信電話番号と称する）の情報が入力されるようになっている。
【００３３】
検索部５には、ナビゲーション装置本体３に記憶されたユーザ電話帳６が接続されており、このユーザ電話帳６には、電話番号と、それに対応する相手先名が登録されている。
【００３４】
このユーザ電話帳６は、ナビゲーション装置本体３において独自に作成されたものであってもよいし、または、携帯電話２からナビゲーション装置本体３に読み込まれたものであってもよいし、あるいは、メモリカード等の記憶媒体や通信を介してナビゲーション装置本体３に読み込まれたものであってもよい。
【００３５】
なお、ユーザ電話帳６には、電話番号および相手先名以外の情報（例えば、メールアドレス等）が登録されていてもよいことは勿論である。
【００３６】
さらに、検索部５には、ナビゲーションデータベース７が接続されており、このナビゲーションデータベース７は、ユーザ電話帳６に登録された特定の電話番号および相手先名よりもはるかに多くの電話番号および相手先名の情報を保有している。また、ナビゲーションデータベース７は、地図データ等のナビゲーションのために必要な一切のデータを保有している。
【００３７】
検索部５は、携帯電話２から入力された着信電話番号に対応する相手先名（以下、対応相手先名と称する）を、まず、ユーザ電話帳６から検索するようになっている。
【００３８】
次に、検索部５は、ユーザ電話帳６から対応相手先名を検索することができない場合には、対応相手先名を、ナビゲーションデータベース７から検索するようになっている。
【００３９】
そして、検索部５は、ユーザ電話帳６またはナビゲーションデータベース７から検索された対応相手先名の情報を出力するようになっている。
【００４０】
検索部５の出力側には、相手先名画像発生部８が接続されており、この相手先名画像発生部８には、検索部５から出力された対応相手先名のデータが入力されるようになっている。
【００４１】
そして、相手先名画像発生部８は、入力された対応相手先名のデータに基づいて、この対応相手先名を表示するための文字画像データを生成して出力するようになっている。
【００４２】
さらに、検索部５の出力側には、操作画面発生部１０が接続されており、この操作画面発生部１０は、検索部５による対応相手先名の検索の完了を受信することにより、通話の開始または応答保留をユーザに選択させる着信時操作画面１７（図２参照）を表示するための着信時操作画面用画像データを生成して出力するようになっている。
【００４３】
相手先名画像発生部８および操作画面発生部１０の出力側には、画像合成部１１が接続されており、この画像合成部１１には、相手先名画像発生部８から出力された文字画像データと、操作画面発生部１０から出力された着信時操作画面用画像データとが入力されるようになっている。
【００４４】
そして、画像合成部１１は、入力された文字画像データと着信時操作画面用画像データとを合成した着信時合成画像データを出力するようになっている。
【００４５】
画像合成部１１の出力側には、ディスプレイ装置１２が接続されており、このディスプレイ装置１２には、画像合成部１１から出力された着信時合成画像データが入力されるようになっている。
【００４６】
そして、ディスプレイ装置１２は、画像合成部１１側から入力された着信時合成画像データを画像に変換して画面上に出力するようになっている。
【００４７】  これにより、着信時において、ディスプレイ装置１２の画面上には、図２に示すように、対応相手先名（図２における（公序良俗違反につき、不掲載））を含む文字画像１４と、応答保留ボタン１５および開始ボタン１６を備えた着信時操作画面１７とが合成された着信時合成画像１８が表示されることになる。【００４８】
したがって、本実施形態においては、対応相手先名を、豊富なデータを保有するナビゲーションデータベース７から確実に検索することができ、検索された対応相手先名をディスプレイ装置１２によって表示することができる。
【００４９】
また、検索部５が、対応相手先名をユーザ電話帳６から優先的に検索することによって、対応相手先名を効率的に検索することができる。
【００５０】
ナビゲーション装置本体３は、ユーザの操作に応じた入力操作信号を出力する入力操作部２０を有しており、ユーザは、この入力操作部２０を介して、前述した着信時合成画像１８における着信時操作画面１７の操作等を行うことができるようになっている。
【００５１】
入力操作部２０は、例えば、ディスプレイ装置１２のタッチパネルであってもよいし、または、リモコンやリニアエンコーダ等であってもよい。
【００５２】
入力操作部２０の出力側には、前述した操作画面発生部１０が接続されており、この操作画面発生部１０には、入力操作部２０の入力操作信号として、着信時操作画面１７の開始ボタン１６を選択する旨の信号が入力されるようになっている。
【００５３】
これにより、操作画面発生部１０は、着信電話番号に対応する相手先（以下、対応相手先と称する）についての地図表示や、対応相手先の目的地としての設定等をユーザによって選択させる通話時第１操作画面２２（図３参照）を表示するための通話時第１操作画面用画像データを生成して画像合成部１１に出力するようになっている。
【００５４】
画像合成部１１は、操作画面発生部１０から出力された通話時第１操作画面用画像データと、相手先名画像発生部８によって生成された対応相手先名を表示するための文字画像データとを入力し、これらの画像データを合成した通話時第１合成画像データをディスプレイ装置１２に出力するようになっている。
【００５５】
そして、ディスプレイ装置１２は、画像合成部１１側から入力された通話時第１合成画像データを画像に変換して画面上に出力するようになっている。
【００５６】
これにより、通話時において、ディスプレイ装置１２の画面上には、図３に示すように、対応相手先名を含む文字画像１９と、対応相手先についての地図表示を行うための地図表示ボタン２４および対応相手先をナビゲーションの目的地として設定するための目的地ボタン２５を備えた通話時第１操作画面２２とが合成された通話時第１合成画像２７が表示されることになる。
【００５７】
なお、図３に示すように、通話時第１操作画面２２は、送話音量の調整ボタン２８、受話音量の調整ボタン２９、通話中であることを示すアイコン３０、前の画面に戻るためのボタン３１、通話終了ボタン２３および発信ボタン３５等を備えたものであってもよい。
【００５８】
また、文字画像１９は、対応相手先名以外にも、着信電話番号等の文字を含むものであってもよい。
【００５９】
入力操作部２０の出力側には、地図描画部３２が接続されており、この地図描画部３２には、ナビゲーションデータベース７が接続されている。
【００６０】
地図描画部３２には、入力操作部２０の通話時第１操作画面２２についての入力操作信号として、通話時第１操作画面２２の地図表示ボタン２４を選択する旨の信号が入力されるようになっている。
【００６１】
そして、地図描画部３２は、通話時第１操作画面２２の地図表示ボタン２４を選択する旨の信号が入力されると、ナビゲーションデータベース７の地図データを読み込んで加工することによって、対応相手先およびその周辺の地図３３（図４参照）を表示するための対応相手先地図描画データを生成して画像合成部１１に出力するようになっている。
【００６２】
また、操作画面発生部１０には、地図描画部３２と同様に、通話時第１操作画面２２についての入力操作信号として、通話時第１操作画面２２の地図表示ボタン２４を選択する旨の信号が入力されるようになっている。
【００６３】
そして、操作画面発生部１０は、通話時第１操作画面２２の地図表示ボタン２４を選択する旨の信号が入力されることにより、地図表示後における対応相手先の目的地としての設定等をユーザによって選択させる通話時第２操作画面３４（図４参照）を表示するための通話時第２操作画面用画像データを生成して画像合成部１１に出力するようになっている。
【００６４】
画像合成部１１は、地図描画部３２から出力された出力された対応相手先地図描画データと、操作画面発生部１０から出力された通話時第２操作画面用画像データとを入力し、これらの画像データを合成した通話時第２合成画像データをディスプレイ装置１２に出力するようになっている。
【００６５】
そして、ディスプレイ装置１２は、入力された通話時第２合成画像データを画像に変換して画面上に出力するようになっている。
【００６６】
これにより、通話時において、ディスプレイ装置１２の画面上には、図４に示すように、対応相手先およびその周辺の地図３３と、対応相手先をナビゲーションの目的地として設定するための目的地ボタン２６を備えた通話時第２操作画面３４とが合成された通話時第２合成画像３６が表示されることになる。
【００６７】
なお、図４に示すように、通話時第２操作画面３４は、ナビゲーションの際の経由地を選択する経由地ボタン３７、対応相手先の最寄りに存在する所望の施設を検索する最寄り検索ボタン３８および携帯電話２の電話帳への着信電話番号および対応相手先名の登録を選択する登録ボタン３９等を備えたものであってもよい。
【００６８】
入力操作部２０の出力側には、目的地設定部４１が接続されており、この目的地設定部４１には、入力操作部２０の通話時第１操作画面２２または通話時第２操作画面３４についての入力操作信号として、目的地ボタン２５、２６を選択する旨の信号が入力されるようになっている。
【００６９】
そして、目的地設定部４１は、目的地ボタン２５、２６を選択する旨の信号が入力されることにより、対応相手先名を、ナビゲーションの目的地として設定するようになっている。
【００７０】
したがって、本実施形態においては、着信電話番号の着信を契機として、対応相手先についての地図表示を行うことができ、さらに、対応相手先を、ナビゲーションの目的地に設定することができる。
【００７１】
検索部５は、携帯電話２を通じて通話が終了したことを検知すると、携帯電話２に記憶された電話帳を検索することによって、着信電話番号および対応相手先名が、携帯電話２の電話帳に登録されているか否かを判定し、判定結果を操作画面発生部１０に出力するようになっている。
【００７２】
操作画面発生部１０は、検索部５の判定結果に基づき、着信電話番号および対応相手先名が、携帯電話２の電話帳に登録されていない場合には、着信電話番号および対応相手先名を携帯電話２の電話帳に登録するか否かを選択させる終話時操作画面４２（図５参照）を表示するための終話時操作画面用画像データを生成して画像合成部１１に出力するようになっている。
【００７３】
画像合成部１１は、操作画面発生部１０から出力された終話時操作画面用画像データを、現在表示されている画像（例えば、通話時第１合成画像２７）の画像データ上に合成させた終話時合成画像データを、ディスプレイ装置１２に出力するようになっている。
【００７４】
そして、ディスプレイ装置１２は、画像合成部１１側から入力された終話時合成画像データを画像に変換して画面上に出力するようになっている。
【００７５】
これにより、終話時において、ディスプレイ装置１２の画面上には、図５に示すように、通話時において表示されていた画像（図５においては通話時第１合成画像２７）上に、終話時操作画面４２が重ねて表示された終話時合成画像４３が表示されることになる。
【００７６】
なお、終話時操作画面４２は、携帯電話の電話帳への着信電話番号および対応相手先名の登録を行うことを選択する登録実行ボタン４４と、登録を行わないことを選択する否定ボタン４８とを備えている。
【００７７】
検索部５の出力側には、登録部４５が接続されており、さらに、この登録部４５の入力側には入力操作部２０が、出力側には、携帯電話２が接続されている。
【００７８】
登録部４５には、入力操作部２０の終話時操作画面４２についての入力操作信号として、登録実行ボタン４４を選択する旨の信号が入力されるようになっている。
【００７９】
また、登録部４５には、入力操作部２０の通話時第２操作画面３４についての入力操作信号として、登録ボタン３９を選択する旨の信号が入力されるようになっている。
【００８０】
そして、登録部４５は、登録実行ボタン４４または登録ボタン３９を選択する旨の信号が入力されることにより、通話の終了後において、着信電話番号および対応相手先名を、携帯電話２の電話帳に登録するようになっている。
【００８１】
したがって、本実施形態においては、登録部４５によって、携帯電話２の電話帳に、着信電話番号および対応相手先名を簡便な操作によって自動的に登録することができ、ユーザが、これらの着信電話番号および対応相手先名を携帯電話２の電話帳に手入力する手間を省くことができる。
【００８２】
なお、登録部４５は、着信電話番号および対応相手先名が、ユーザ電話帳６に登録されていない場合には、これらをユーザ電話帳６に登録するようにしてもよい。この登録に際しては、携帯電話２の電話帳の場合と同様に、ユーザが、着信電話番号および対応相手先名をユーザ電話帳６に登録することを選択するための操作画面を表示するようにしてもよい。
【００８３】
そのようにすれば、登録部４５によって、着信電話番号および対応相手先名をユーザ電話帳６に簡便な操作によって自動的に登録することができ、ユーザが、これらの着信電話番号および対応相手先名をユーザ電話帳６に手入力する手間を省くことができる。
【００８４】
携帯電話２の出力側には、音声出力部４６が接続されており、この音声出力部４６には、携帯電話２によって受信された対応相手先からの受信音声データが入力されるようになっている。
【００８５】
音声出力部４６は、入力された受信音声データを復号化して出力するようになっている。
【００８６】
音声出力部４６の出力側には、スピーカ４７が接続されており、このスピーカ４７には、音声出力部４６から出力された受信音声データが入力されるようになっている。
【００８７】
そして、スピーカ４７は、入力された受信音声データを再生するようになっている。
【００８８】
携帯電話２には、入力操作部２０が接続されており、入力操作部２０は、着信時操作画面１７の開始ボタン１６を選択することによって、携帯電話２を通じた通話を開始させるようになっている。また、入力操作部２０は、操作画面発生部１０によって生成された操作画面（図示せず）を介して携帯電話２による発信（発呼）のための操作を行うことができるようになっている。
【００８９】
さらに、本実施形態において、ナビゲーション装置本体３は、通常のナビゲーションのための構成を備えている。
【００９０】
すなわち、ナビゲーション装置本体３は、ＧＰＳレシーバ４９を有しており、このＧＰＳレシーバ４９は、図示しないＧＰＳ衛星から、軌道および時刻についての情報を受信して、受信結果を出力するようになっている。
【００９１】
また、ナビゲーション装置本体３は、車速センサや、ジャイロセンサ等の各種センサ５０を有しており、これらのセンサ５０は、自車の速度、自車の発進または停止、あるいはカーブでの横方向の加速度等を検出し、検出結果を出力するようになっている。
【００９２】
ＧＰＳレシーバ４９および各種センサ５０の出力側には、自車位置計算部５１が接続されており、この自車位置計算部５１には、ＧＰＳレシーバ４９の受信結果および各種センサ５０の検出結果が入力されるようになっている。
【００９３】
そして、自車位置計算部５１は、入力されたＧＰＳレシーバ４９の受信結果および各種センサ５０の検出結果に基づいて、現在の自車位置を算出し、算出結果を地図描画部３２に出力するようになっている。
【００９４】
地図描画部３２は、入力操作部２０から、現在地の地図表示を指示する旨の入力操作信号が入力されると、自車位置計算部５１の算出結果に基づいて、ナビゲーションデータベース７の地図データを読み込んで加工することによって、現在地・地図描画データを生成して画像合成部１１に出力するようになっている。
【００９５】
自車位置計算部５１の出力側には、自車位置マーク発生部５２が接続されており、この自車位置マーク発生部５２には、自車位置計算部５１の算出結果が入力されるようになっている。
【００９６】
自車位置マーク発生部５２は、ナビゲーションデータベース７と接続されており、このナビゲーションデータベース７の地図データにおける所定の道路上に現在の自車位置を整合させるマップマッチングを行うようになっている。
【００９７】
そして、自車位置マーク発生部５２は、マップマッチングを行った上で、地図上における現在の自車位置を示す自車位置マークを描画するための自車位置マーク描画データを生成して画像合成部１１に出力するようになっている。
【００９８】
画像合成部１１は、地図描画部３２から出力された現在地・地図描画データと、自車位置マーク発生部５２から出力された自車位置マーク描画データとを合成してディスプレイ装置１２に出力するようになっている。
【００９９】
これにより、ディスプレイ装置１２の画面上には、現在地およびその周辺の地図と、この地図上における現在地に対応する位置に重ねて表示された自車位置マークとが表示されることになる。
【０１００】
自車位置計算部５１および目的地設定部４１の出力側には、ルート計算部５３が接続されており、このルート計算部５３には、ナビゲーションデータベース７が接続されている。
【０１０１】
ルート計算部５３は、自車位置計算部５１によって算出された現在の自車位置から目的地設定部４１によって設定された目的地までの推奨ルートをナビゲーションデータベース７の地図データを参照して算出し、算出結果を出力するようになっている。
【０１０２】
ルート計算部５３の出力側には、案内画像発生部５４が接続されており、この案内画像発生部５４には、ルート計算部５３の算出結果が入力されるようになっている。
【０１０３】
そして、案内画像発生部５４は、入力されたルート計算部５３の算出結果に基づいて、自車を目的地まで案内するための案内画像を表示するための案内画像データを生成して画像合成部１１に出力するようになっている。案内画像データには、例えば、交差点拡大画像を表示するための画像データや、推奨ルートを現在地・地図描画データにおける地図上に重ねて表示するための画像データ等が含まれている。
【０１０４】
画像合成部１１は、案内画像発生部５４から出力された案内画像データを現在地・地図描画データと適宜合成させてディスプレイ装置１２に出力するようになっている。
【０１０５】
これにより、ディスプレイ装置１２の画面上には、案内画像が適宜表示されることになる。
【０１０６】
ルート計算部５３の出力側には、案内音声発生部５５が接続されており、この案内音声発生部５５には、ルート計算部５３の算出結果が入力されるようになっている。
【０１０７】
そして、案内音声発生部５５は、入力されたルート計算部５３の算出結果に基づいて、案内音声データを生成してスピーカ４７に出力するようになっている。
【０１０８】
これにより、スピーカ４７によって、交差点右左折案内等の音声案内が適宜行われることになる。
【０１０９】
次に、本実施形態におけるナビゲーション装置１の主たる作用について説明する。
【０１１０】
（着信時の作用）
携帯電話２を通じて着信電話番号が着信すると、検索部５は、まず、対応相手先名をユーザ電話帳６から検索する。
【０１１１】
そして、検索部５は、ユーザ電話帳６から対応相手先名を検索することができなかった場合には、次に、対応相手先名を、ナビゲーションデータベース７から検索する。
【０１１２】
これにより、対応相手先名がユーザ電話帳６に登録されていない場合であっても、対応相手先名をナビゲーションデータベース７から確実に検索することができる。
【０１１３】
検索部５は、ナビゲーションデータベース７またはユーザ電話帳６から対応相手先名を検索した後、相手先名画像発生部８に、対応相手先名の情報を出力するとともに、操作画面発生部１０に、対応相手先名の検索の完了を通知する。
【０１１４】
次いで、相手先名画像発生部８は、前述した対応相手先名を表示するための文字画像データを生成して画像合成部１１に出力する。また、このとき、操作画面発生部１０は、前述した着信時操作画面用画像データを生成して画像合成部１１に出力する。
【０１１５】
そして、画像合成部１１は、これらの文字画像データと着信時操作画面用画像データとを合成し、これを前記着信時合成画像データとしてディスプレイ装置１２に出力する。
【０１１６】
そして、ディスプレイ装置１２が、前記着信時合成画像データを画像に変換することにより、ディスプレイ装置１２の画面上に、図２に示したような着信時合成画像１８が表示される。
【０１１７】
この結果、ユーザは、対応相手先名を確実に把握することができる。
【０１１８】
そして、着信時合成画像１８の表示の後、入力操作部２０の操作によって、着信時合成画像１８における前述した着信時操作画面１７の開始ボタン１６が選択されると、対応相手先との通話が開始される。
【０１１９】
（通話時の作用）
操作画面発生部１０は、開始ボタン１６の選択によって通話が開始されると、前述した通話時第１操作画面用画像データを生成して画像合成部１１に出力する。
【０１２０】
次いで、画像合成部１１は、前記通話時第１操作画面用画像データと、相手先名画像発生部８によって生成された対応相手先名を表示するための文字画像データとを合成し、これを通話時第１合成画像データとしてディスプレイ装置１２に出力する。
【０１２１】
そして、ディスプレイ装置１２が、前記通話時第１合成画像データを画像に変換することによって、ディスプレイ装置１２の画面上に、図３に示したような通話時第１合成画像２７が表示される。
【０１２２】
次に、この通話時第１合成画像２７の表示の後、入力操作部２０の操作によって、前記通話時第１合成画像２７における前述した通話時第１操作画面２２の地図表示ボタン２４が選択されると、地図描画部３２は、ナビゲーションデータベース７の地図データを読み込んで加工することによって、前述した対応相手先地図描画データを生成して画像合成部１１に出力する。
【０１２３】
また、このとき、操作画面発生部１０は、前述した通話時第２操作画面用画像データを生成して画像合成部１１に出力する。
【０１２４】
次いで、画像合成部１１は、これらの対応相手先地図描画データと、通話時第２操作画面用画像データとを合成し、これを通話時第２合成画像データとしてディスプレイ装置１２に出力する。
【０１２５】
そして、ディスプレイ装置１２が、前記通話時第２合成画像データを画像に変換することによって、ディスプレイ装置１２の画面上に、図４に示したような通話時第２合成画像３６が表示される。
【０１２６】
これにより、ユーザは、対応相手先およびその周囲の地図を把握することができる。
【０１２７】
次に、前記通話時第２合成画像３６の表示の後、入力操作部２０の操作によって、前記通話時第２合成画像３６における前述した通話時第２操作画面３４の目的地ボタン２６が選択されると、対応相手先名が、目的地設定部４１によってナビゲーションの目的地として設定される。
【０１２８】
これにより、対応相手先を目的地としたナビゲーションを実行することができる。
【０１２９】
なお、この対応相手先名を目的地としたナビゲーションは、終話後に実行するようにしてもよい。
【０１３０】
また、通話時第１操作画面２２の目的地ボタン２５の選択によって、対応相手先名をナビゲーションの目的地に設定するようにしてもよい。
【０１３１】
（終話時以降の作用）
検索部５は、携帯電話２を通じて通話が終了したことを検知すると、携帯電話２に記憶された電話帳を検索することによって、着信電話番号および対応相手先名が、携帯電話２の電話帳に登録されているか否かを判定し、判定結果を操作画面発生部１０に出力する。
【０１３２】
次いで、操作画面発生部１０は、検索部５の判定結果に基づいて、着信電話番号および対応相手先名が、携帯電話２の電話帳に登録されていない場合には、前述した終話時操作画面用画像データを生成して画像合成部１１に出力する。
【０１３３】
画像合成部１１は、この終話時操作画面用画像データを、現在表示されている画像（例えば、前記通話時第１合成画像２７）の画像データ上に合成させ、これを終話時合成画像データとしてディスプレイ装置１２に出力する。
【０１３４】
そして、ディスプレイ装置１２が、前記終話時合成画像データを画像に変換することにより、ディスプレイ装置１２の画面上に、図５に示したような終話時合成画像４３が表示される。
【０１３５】
次に、前記終話時合成画像４３の表示の後、入力操作部２０の操作によって、前記終話時合成画像４３の終話時操作画面４２において、登録実行ボタン４４が選択されると、登録部４５によって、これらの着信電話番号および対応相手先名が、携帯電話２の電話帳に登録される。
【０１３６】
これにより、着信電話番号および対応相手先名を簡便な操作によって自動的に登録することができる。
【０１３７】
なお、通話時第２操作画面３４における登録ボタン３９の選択によって、携帯電話２の電話帳への着信電話番号および対応相手先名の登録を行ってもよいことは勿論である。
【０１３８】
以上述べたように、本実施形態におけるナビゲーション装置１によれば、検索部５によって、携帯電話２への着信電話番号に対応する対応相手先名を、豊富なデータを有するナビゲーションデータベース７から確実に検索することができ、検索された対応相手先名をディスプレイ装置１２によって表示することができる。
【０１３９】
この結果、例えば、宿泊予定の宿や、予約を入れた飲食店からの着信等の携帯電話２の電話帳やユーザ電話帳６に登録していない相手先からの着信があった場合においても、相手先名を確実に表示することができ、利便性を向上させることができる。
【０１４０】
なお、本発明は、前述した実施の形態に限定されるものではなく、必要に応じて種々の変更が可能である。
【図面の簡単な説明】
【０１４１】
【図１】本発明に係るナビゲーション装置の実施形態を示すブロック図
【図２】本発明に係るナビゲーション装置の実施形態において、着信時合成画像を示す図
【図３】本発明に係るナビゲーション装置の実施形態において、通話時第１合成画像を示す図
【図４】本発明に係るナビゲーション装置の実施形態において、通話時第２合成画像を示す図
【図５】本発明に係るナビゲーション装置の実施形態において、終話時合成画像を示す図
【図６】従来のナビゲーション装置における着信時の画面を示す図
【符号の説明】
【０１４２】
１  ナビゲーション装置
２  携帯電話
３  ナビゲーション装置本体
５  検索部
６  ユーザ電話帳
７  ナビゲーションデータベース
１２  ディスプレイ装置
２４  地図表示ボタン
２５，２６  目的地ボタン
３２  地図描画部
４１  目的地設定部
【図１】
2006329649.tif 000003
【図２】
2006329649.tif 000004
【図３】
2006329649.tif 000005
【図４】
2006329649.tif 000006
【図５】
2006329649.tif 000007
【図６】
2006329649.tif 000008